(57)【要約】      （修正有）【課題】安定した姿勢で沈下やダートを行うことができる疑似餌を提供する。【解決手段】疑似餌１は、小魚やエビの外形を模した形状の疑似餌本体２と、疑似餌本体２の下方に配置するシンカー３とからなる。シンカー３の両側面に左右方向に湾曲して突出する湾曲突出部６をそれぞれ設ける。これにより、安定した姿勢で緩やかに沈下させることができ、さらに浮き上がりなどを抑えて安定した姿勢でダートさせることができ、高い漁果を期待することができる。【選択図】図１
0003222238.tif 000002
【実用新案登録請求の範囲】
【請求項１】
前後に長手方向を有する疑似餌本体と、前記疑似餌本体の下方に配置するシンカーとからなり、前記シンカーは円盤状の前部の両側面に湾曲して左右両側に突出する湾曲突出部を設けたことを特徴とする疑似餌。
【請求項２】
湾曲突出部は湾曲部分の中央位置から上端と下端に向けて肉厚が薄くなり、前記湾曲突出部の下端はシンカーの前部の長手方向中央下端よりも前方に位置することを特徴とする請求項１に記載の疑似餌。
【請求項３】
シンカーは前部から連続して後部を有し、前記後部は疑似餌本体の接続位置から後方に向けて突出し、該突出端から前部の下方に向かう略三角形状であることを特徴とする請求項１または２に記載の疑似餌。
【請求項４】
シンカーの湾曲突出部の突出幅は、疑似餌本体の左右幅よりも小さいことを特徴とする請求項１、２または３のいずれかに記載の疑似餌。
【考案の詳細な説明】
【技術分野】
【０００１】
本考案は、イカ釣りなどの疑似餌釣りに用いる、小魚やエビの外形を模した形態の疑似餌に関する考案である。
【背景技術】
【０００２】
疑似餌として、頭部側の下方に重りを突出して設けたものは従来から提案されている。特許文献１は、ルアー本体に着脱自在の錘を備えたルアーを開示している。このルアーの錘は、ルアー本体の高さ方向に起立しつつ長手方向に延びる薄板型部材であって長手方向に高さが変化する板状部と、板状部の下縁に於いて左右方向に張り出したフランジとを有している。ルアーは錘をルアー本体に取り付ける方向を切り替えることによりフランジが水流を受ける形態を変更して、沈降姿勢や遊動姿勢を変更可能としている。
【先行技術文献】
【特許文献】
【０００３】
【特許文献１】特開２００３−１４４０１１号公報
【考案の概要】
【考案が解決しようとする課題】
【０００４】
特許文献１に記載のルアーは、フランジを板状部の長手方向の全体に亘り形成するため、水の抵抗を強く受けやすく姿勢が安定せず、安定した姿勢による緩やかな沈下や、しゃくり時の水深を維持したダート（横移動）を行うことが難しいものであった。
【０００５】
そこで、疑似餌のシンカーとして自然な沈下を達成し、しゃくり時に自然な動きで不意の上昇を抑えてダートを行うことができる疑似餌が望まれていた。
【課題を解決するための手段】
【０００６】
本考案の疑似餌は、上記課題に鑑み、前後に長手方向を有する疑似餌本体と、前記疑似餌本体の下方に配置するシンカーとからなり、前記シンカーは略円盤状の前部の両側面に湾曲して左右両側に突出する湾曲突出部を設けたことを特徴とする。
【０００７】
また、湾曲突出部は、湾曲部分の中央位置から上側と下側に向けて肉厚が薄くなることが好ましい。
【０００８】
また、シンカーは前部から連続して後部を有し、前記後部は疑似餌本体の接続位置から後方に向けて突出し、該突出端から前部の下方に向かう略三角形状であることが好ましい。
【０００９】
また、シンカーの湾曲突出部の突出幅は、疑似餌本体の左右幅よりも小さいことが好ましい。
【考案の効果】
【００１０】
請求項１〜４記載の考案は、リップ形状のフランジにより水の抵抗を受けて、着水後に沈下する時間（沈下スピード）を従来は３秒／１ｍであったところ、８秒／１ｍ程度にすることができ、安定した姿勢で緩やかな沈下（フリーフォール）を実現することができる。水深の浅い場所やイカなどの釣り対象が警戒している状態であっても自然な沈下状態を発揮することができ、漁果を期待することができる。さらに、湾曲突出部により疑似餌をしゃくる（入力）時の浮き上がりなどを抑えて、水深を維持してダート（横移動）することができて、小魚やエビ等の自然な動きを模して釣り対象の興味を強く引き、高い漁果を期待することができる。
【図面の簡単な説明】
【００１１】
【図１】本考案の実施形態に係る疑似餌全体の斜視図である。
【図２】疑似餌全体の側面図である。
【図３】図２のＡ−Ａ線断面図である。
【図４】シンカー周辺の拡大下面図である。
【考案を実施するための形態】
【００１２】
本考案の実施形態について、図面に基づいて詳細に説明する。本実施例に関し、図２の疑似餌１の取付環７がある頭側を前方、掛け針８がある尾側を後方として説明し、疑似餌１の両側を左右方向として説明する。
【００１３】
疑似餌１は、図１及び２に示すように、小魚やエビの外形を模した形態の疑似餌本体２と、疑似餌本体２の下面側となる腹部２ｂから下方に配置するシンカー３と、疑似餌本体２の前端に設けた取付環７と、疑似餌本体２後端から突出する掛け針８とからなるものである。本実施形態の疑似餌１は主にイカ釣り用を想定するものであるが、その他の目的物であってもよい。
【００１４】
本実施形態の疑似餌本体２は前後に長手方向を有する模擬小魚状に形成される。そのため、前方の頭部２ａから長手方向の後方に向けて徐々に肉厚が太くなって腹部２ｂと連続し、腹部２ｂは所定の肉厚を有して自然な小魚形状となるように若干上方に曲がって尾部２ｃに連続し、尾部２ｃは後方に向けて肉厚が細くなる尾形状を模している。全体として小魚状となるように縦断面は径の異なる楕円形状としている。疑似餌本体２は頭部２ａの側面に目を模したアイ９を有し、腹部２ｂの頭部２ａ寄りの側面に羽根１０（ウィング）を前方に向けて突出して有している。
【００１５】
シンカー３は、疑似餌本体２の長手方向の約４分の１の位置に配置している。本実施形態では頭部２ａと腹部２ｂとの間であって肉厚が太くなっている部位、言い換えるとアイ９と羽根１０の固定部分１０ａとの長手方向中間位置であり、その下方に配置される。
【００１６】
シンカー３は、疑似餌本体２の自然な動きを維持するために配置部位を決定するものであり、前方から後方に向けて長手方向の約５分の１ないし３分の１までにすることが好ましい。
【００１７】
シンカー３の形態は、金属片であり、前側に位置する円盤状の前部４及び前部４に形成される湾曲突出部６、６と、この前部４から後方に連続して突出する後部５とからなる。
【００１８】
前部４は、疑似餌本体２との接続位置の前端から前方下向きへ短く円弧状に突出し、その突出位置から下方に長く（大きな）円弧状になるように形成されており、全体として疑似餌本体２の長手方向と同じ長手方向とする略楕円形状であり、所定の左右方向（幅方向）の厚みを有する円盤状の金属片である。なお、本実施形態の前部４の円盤状は楕円の円盤状であるが、角を丸めた四角形状のものであってもよい。
【００１９】
前部４の両側面には湾曲突出部６、６が連続して形成される。この湾曲突出部６、６は、前部４の大きな円弧状面の後側において、図２の側面視において後方かつ下方に凸となるような湾曲線が形成され、この湾曲線の中央（最も凸となる部分）が最も左右に広がるように突出形成されたフランジ状の形態である。この湾曲線の中央（最も凸となる部分）が最も肉厚を有し、湾曲線の上端及び下端に向けて順次に肉厚を薄くした形態となっている。これによりシンカー３の形態として、後方に向けて幅広となるように突出しており、不意に疑似餌本体２を上昇させる力が作用した場合に、抵抗して疑似餌本体２の上昇を抑えることができ、自然な動きを達成することができる。
【００２０】
湾曲突出部６、６の下端は、前部４の長手方向（前後方向）において、前方下端と中央下端との間に位置するようにし、前述のように湾曲線の最も凸なる部位から順次肉厚を薄くしている。すなわち、シンカー３の前部４は湾曲突出部６、６が形成される下端から順次、左右に広がりを有するようにしており、垂直方向への沈下において、抵抗を有するようにしている。
【００２１】
湾曲突出部６、６の最も太い部位はシンカー３の肉厚の２倍としている。一方の湾曲突出部６の両側方向の外端から他方の湾曲突出部６の左右方向幅は、疑似餌本体２の左右方向幅よりも小さくして、湾曲突出部６、６を設けたシンカー３が平面視において疑似餌本体２内に収まり左右方向に突出しない形態としている。これにより、必要以上にシンカー３の沈下、上昇を抑えることを防止している。
【００２２】
後部５は、前部４の後側に位置するもので一体的に形成される金属片である。後部５の上端は、疑似餌本体２の接続位置の後端であり、ここからさらに後方に円弧状に突出し、その突出した後端から前部４の下方に接続するように略三角形状に突出する。後部５の下辺は前部４の大きな円弧の後端から後方に向けて直線状に形成される。
【００２３】
本実施形態の疑似餌１の取付環７をルアーに取り付け、投下位置に投下すると、シンカー３の重さと湾曲突出部６、６の抵抗により、疑似餌として自然な沈下を達成することができる。また、しゃくり時においても、シンカー３の前部４の湾曲突出部６、６により不意な疑似餌１の上昇を抑えて、自然な横移動を達成することができる。また、後部５の突出により水中で疑似餌１の頭部２ａと尾部２ｃの動きに違いをもたらし、リアル感を持たせてより自然な疑似餌１の動きを達成することができる。
【符号の説明】
【００２４】
１…疑似餌、２…疑似餌本体、２ａ…頭部、２ｂ…腹部、２ｃ…尾部、３…シンカー、４…前部、５…後部、６…湾曲突出部、７…取付環、８…掛け針、９…アイ、１０…羽根、１０ａ…固定部分。
【図１】
0003222238.tif 000003
【図２】
0003222238.tif 000004
【図３】
0003222238.tif 000005
【図４】
0003222238.tif 000006